Podtech/llm-jp-corpus-v4-ja_patent huggingface dataset:
(57)【要約】
【課題】本考案は、人や愛玩動物を主な対象に腕や首に片手で容易に着脱を可能にする事を最も主要な特徴とするリング状ワンタッチアクセサリーを提供する。
【解決手段】合成樹脂等で形成されたリング状の管１の開口端部の両端に管の内径に適宜な形状のマグネット２を圧入嵌合、または適宜な接着剤にて固定し、マグネットの引合う力を利用し腕や首への着脱を容易に行うリング状ワンタッチアクセサリー。
【選択図】図３
0003099651.tif 000002
【実用新案登録請求の範囲】
【請求項１】
　合成樹脂等で形成されたリング状の管の開口端部の両端に管の内径に適宜な形状のマグネットを圧入嵌合、または適宜な接着剤にて固定し、マグネットの引合う力を利用し腕や首への着脱を容易に行う事を特徴とするリング状ワンタッチアクセサリー。
【考案の詳細な説明】
【技術分野】
【０００１】
　本考案は、人や愛玩動物を主な対象に腕や首に片手で容易に装着可能なリング状ワンタッチアクセサリーに関するものである。
【背景技術】
【０００２】
　従来、リング状のアクセサリーは、エンドレス形のリングが多く手首に付けるには手のひらをすぼめて通すのが一般的であり、非エンドレス形のリングでは係止用の金具を取付けた物やチューブ状のリングでは管の内径または外形に嵌合する突起物等に管をねじ込むタイプの物があった。
【０００３】
　しかし、この様な従来のリング状アクセサリーでは、容易に抜け落ち紛失したり、片手での着脱が難しく習熟を要し、アクセサリーを破損しかねないという欠点があった。
【考案の開示】
【考案が解決しようとする課題】
【０００４】
　解決しようとする問題点は、容易に抜け落ち紛失したり、片手での着脱が難しく習熟を要し、アクセサリーを破損しかねない点である。
【課題を解決するための手段】
【０００５】
　本考案は、片手で容易に着脱可能なリング状ワンタッチアクセサリーの提供をするものであり柔軟で透明な合成樹脂で形成された細長い管の開口部の両端に管の内径に適宜な形状のマグネットを圧入嵌合、または適宜な接着剤にて固定し、マグネットの引合う力を利用し腕や首への着脱を容易に行う事を最も主要な特徴とする。
【考案の効果】
【０００６】
　本考案によれば次のような効果が得られる。
　１．手首や首への装着時に注視する事無く、片手でも容易に装着できる。
　２．管の長さを変える事により任意のサイズの製作が可能である。
　３．アクセサリーを引っ掛けて宙吊りなったり、引き摺られる事態が起きてもマグネットの適度な保持力によってアクセサリーが外れるので安全である。
【考案を実施するための最良の形態】
【０００７】
　本考案のリング状ワンタッチアクセサリーは柔軟で透明な合成樹脂で形成された細長い管の開口両端部に管の内径に適宜な形のマグネットを圧入嵌合、または適宜な接着剤にて固定し、マグネットの引合う力を利用し腕や首への着脱を容易に行うために提供される
【実施例１】
【０００８】
　以下、図面を参照して本考案の実施例を説明する。
　図１と図２は、本考案に係るリング状ワンタッチアクセサリーの一実施例を示す斜視図であり、１はリング、２はマグネットである。
【０００９】
　リング１は柔軟で透明な合成樹脂で形成された細長い管であり、該リング１の開口部の両端にはマグネット２が配置されている。
　図１のように該リング１が閉じた状態では、該マグネット２の引き合う力により、該リング１は閉じた状態を保持するが、図２のように該リング１の開口部を該マグネット２の引き合う力が働かない距離まで離す事により該リング１は開いた状態となる。
【００１０】
　図３は、前記リング状ワンタッチアクセサリー装着の一実施例を示す説明図であり、１と２は図１や図２と同様であるので説明を省略する。
【００１１】
　リング１を手首等に嵌める場合には、マグネット２を引き離して該リング１を開いた状態とし、手首等に巻き付けた後に該リング１の開口部を近づける事により、開口部に取り付けれられた該マグネット２の引き合う力により該リング１が閉じた状態となるので、開口部を注視しなくても容易に該リング１の装着が完了する。
また外す場合には、該マグネット２を引き離すだけで良く、該リング１の着脱が容易に行う事ができる。
【図面の簡単な説明】
【００１２】
【図１】リング状ワンタッチアクセサリーが閉じた状態である一実施例を示す斜視図である
【図２】リング状ワンタッチアクセサリーが開いた状態である一実施例を示す斜視図である
【図３】リング状ワンタッチアクセサリー装着の一実施例を示す説明図である
【符号の説明】
【００１３】
　１　　リング
　２　　マグネット
【図１】
0003099651.tif 000003
【図２】
0003099651.tif 000004
【図３】
0003099651.tif 000005
(57)【要約】
【課題】　水気による感電を防止すると共に、耐トラッキング性を高めることができるアダプタを提供する。
【解決手段】　コード（１１）が接触される本体（１０）を有すると共に、本体（１０）の一側にプラグ部（１２）が設けられるアダプタであって、
プラグ部（１２）が設けられる側面にE字形の突出ブロック（１３）が設けられ、その突出ブロック（１３）における二つの窪み（１４）は夫々プラグ部（１２）を囲んでいることを特徴とする。
【選択図】　図１
0003099684.tif 000002
【実用新案登録請求の範囲】
【請求項１】
コード（１１）が接触される本体（１０）を有すると共に、本体（１０）の一側にプラグ部（１２）が設けられるアダプタであって、
プラグ部（１２）が設けられる側面にE字形の突出ブロック（１３）が設けられ、その突出ブロック（１３）における二つの窪み（１４）は夫々プラグ部（１２）を囲んでいることを特徴とする、アダプタ。
【考案の詳細な説明】
【技術分野】
【０００１】
　本考案は、特に水気による感電を防止すると共に、耐トラッキング性を高めることができるアダプタに関するものである。
【背景技術】
【０００２】
　図３に示すように、従来のアダプタはコード（３１）が接触される本体（３０）を有すると共に、本体（３０）の一側にプラグ部（３２）が設けられ、そのプラグ部を壁のコンセントに差し込むことにより、電気製品に電力を供給する。
【考案の開示】
【考案が解決しようとする課題】
【０００３】
　しかしながら、従来のアダプタの本体（３０）におけるプラグ部（３２）が設置される側面は平面であるので、通電によってプラグ部（３２）の周囲に水気が発生して、ショート又は感電することがあり、更に、この水気によりアダプタの殻は割れるというトラッキング（TRACKING）問題がある。
【０００４】
　そこで、案出されたのが本考案であって、水気による感電を防止すると共に、耐トラッキング性を高めることができるアダプタを提供することを目的としている。
【課題を解決するための手段】
【０００５】
　本願の請求項１の考案は、コード（１１）が接触される本体（１０）を有すると共に、本体（１０）の一側にプラグ部（１２）が設けられるアダプタであって、プラグ部（１２）が設けられる側面にE字形の突出ブロック（１３）が設けられ、その突出ブロック（１３）における二つの窪み（１４）は夫々プラグ部（１２）を囲んでいることを特徴とするアダプタ、を提供する。
【考案の効果】
【０００６】
　本考案は上記の構成を有するので、プラグ部を有するアダプタの側面にE字形の突出ブロックを設け、この突出ブロックにおける二つの窪みにより、水気を外部へ導いて排出するので、ショート及び感電することを防止することができると共に、アダプタの耐トラッキング性も高めることができ、更に、構成が極めて簡単である。
【考案を実施するための最良の形態】
【０００７】
　以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【０００８】
　図１は本考案に係わるアダプタの斜視図であり、図２は本考案に係わるアダプタの分解斜視図である。
【０００９】
　図１及び図２に示すように、本考案に係わるアダプタは殆ど従来のアダプタの構造と等しく、コード（１１）が接触される本体（１０）を有すると共に、本体（１０）の一側にプラグ部（１２）が設けられ、異なるのは、プラグ部（１２）が設けられる側面にE字形の突出ブロック（１３）が設けられると共に、突出ブロック（１３）における二つの窪み（１４）が夫々プラグ部（１２）を囲んでいる。
【００１０】
　本考案に係わるアダプタによれば、通電すると共に発生する熱によって発生する水気は突出ブロック（１３）における窪み（１４）によって外部へ導いて排出することにより、ショート及び感電することを防止することができ、更に、アダプタの耐トラッキング性も高めることができる。
【図面の簡単な説明】
【００１１】
【図１】本考案に係わるアダプタの斜視図である。
【図２】本考案に係わるアダプタの分解斜視図である。
【図３】従来のアダプタの斜視図である。
【符号の説明】
【００１２】
１０　　　　本体
１１　　　　コード
１２　　　　プラグ部
１３　　　　突出ブロック
１４　　　　窪み
３０　　　　本体
３１　　　　コード
３２　　　　プラグ部
【図１】
0003099684.tif 000003
【図２】
0003099684.tif 000004
【図３】
0003099684.tif 000005
(57)【要約】　　　（修正有）【課題】保水ポリタンクの給入口栓、給出口栓に機能を付加し絶えず新鮮な水を確保し非常時に延命の効果が期待出来る具を提供する。【解決手段】保水ポリタンク１に上部の一方から接着口より漏水しない高長ホースを持つ給入栓２上部他方に接着口より漏水しない水道口を持つ給出栓３を設けた事を特徴とする。【選択図】　　図３
0003099688.tif 000002
【実用新案登録請求の範囲】
【請求項１】
保水ポリタンク（１）に上部の一方から水道ホースより給入出来る給入栓（２）及び上部の一方から給出出来る給出栓（３）を有するタンク。
【考案の詳細な説明】
【技術分野】
【０００１】この考案は非常用のポリタンクに貯水保水するも水が腐敗するため絶えず新鮮な水を入れ替える必要があったが意識せず絶えず新鮮な水を補給確保出来る非常用品に関するものである。
【背景技術】
【０００２】多くの保水用ポリタンクが市販されているがただ水を貯蔵する機能また排出する機能のみであった。
【考案の開示】
【考案が解決しようとする課題】
【０００３】これは次ぎのような欠点があった。
イ　水を貯蔵、排出は出来るが水を自動的に入れ替え補給する機能が無かった。
ロ　貯蔵だけの水は流動性がない為腐敗し非常時の飲料水には適さ無かった。
　本考案は以上の欠点を解決するためになされたものである。
【課題を解決するための手段】
【０００４】保水ポリタンク（１）の上部一方に給入口（５）が密封され且つタンクの下部まで届くホース（７）を保有するネジ状で固定出来る水道の給入栓（２）、及び上部他方にネジ状で固定出来る給出口（６）が密封され排出出来る水道管（８）を有する給出栓（３）をセット出来るポリタンク。
　本考案は、以上の構成によりなる非常用ポリタンクである。
【考案の効果】
【０００５】本考案を使用することにより絶えず新鮮な水を確保し非常時の延命の効果が期待出来る。
【考案を実施するための最良の形態】
【０００６】以下、本考案の実施の形態を説明する。
イ　ホース（７）よりなる給入口（５）を持つ給入栓（２）、水道管（８）よりなる給出口（６）を持つ給出栓（３）を有する保水ポリタンク（１）を設ける。
ロ　給入口（５）は水道口から給入するため相応の長さのホース（７）からなり且つ漏洩しないようホース（７）の一部分は給入栓（２）口に密封され保水ポリタンク（１）内ホース（７）はタンクの底辺に近い所までの長さとなっている。
ハ　給出口（６）は給出栓（３）口から漏洩しないよう密封され従来の水道管（８）と同様直線又は湾曲となっている。
ニ　保水ポリタンク（１）の既販品はもとより作業用に適用される新たな形態の保水ポリタンク（１）にも同機能を有することが出来るものとなっている
ホ　保水ポリタンク（１）の給入栓（２）、給出栓（３）の口径が種違っても同機能は同仕様により変わる事がない。
本考案は以上の構成よりなっている。
本考案は非常用のため保水は必需であることを多くが周知している。そのための保水具は多々ある。しかし保水するも流動性なければ水は腐敗する。すなわち新鮮なる水でなければ非常用の意味を持たない。保水ポリタンク（１）に新鮮な水を入れ替えるのも作業は大である。この考案は水道水を使っての洗濯機（４）使用、風呂の給水等々、通常生活の中で意識する事なく絶えず新鮮な水を補給、確保出来る非常用具として必要な物である。水道口より給入される場合は洗濯機（４）のみに係わらずに保水ポリタンク（１）のいかなる形態であろうと全てに適用される。
【図面の簡単な説明】
【０００７】
【図１】本考案の斜視図である。
【図２】本考案の分解斜視図である。
【図３】本考案の使用状態を示す斜視図である。
【符号の説明】
１　保水ポリタンク
２　給入栓
３　給出栓
４　洗濯機
５　給入口
６　給出口
７　ホース
８　水道管
【図１】
0003099688.tif 000003
【図２】
0003099688.tif 000004
【図３】
0003099688.tif 000005
(57)【要約】
【課題】本考案は、経済的且つ簡単なパイプ接続具を提供する。
【解決手段】接続受けパイプ（１）に、固定用凸ダボ（２）を設けた、パイプスペーサー（５）を適当なる位置まで挿入固定して、プレスにより菱形状金型で、接続受けパイプ（１）の表面より圧縮絞りを行い、菱形カシメ凹ダボ（３）を形成して、接続受けパイプ（１）とパイプスペーサー（５）を係着させ、この前記スペーサーに接続差込みパイプ（４）を差込み装着することを特徴とする。
【選択図】図１
0003099689.tif 000002
【実用新案登録請求の範囲】
【請求項１】
接続受けパイプ（１）に、固定用凸ダボ（２）を設けた、パイプスペーサー（５）を適当なる位置まで挿入固定して、プレスにより菱形状金型で、接続受けパイプ（１）の表面より圧縮絞りを行い、菱形カシメ凹ダボ（３）を形成して、接続受けパイプ（１）とパイプスペーサー（５）を係着させ、この前記スペーサーに接続差込みパイプ（４）を差込んで装着してなる、ジョイントポール。
【考案の詳細な説明】
【考案の詳細な説明】
【技術分野】
【０００１】　本考案は、化粧パイプ同士の簡易接続技術に関するものである。
【背景技術】
【０００２】　従来、パイプ器具等を室内の備品として取付ける事があるが、その手段として、最近は伸縮するパイプ棒を利用している。つまり、洋服コンコース内の洋服ハンガー用の突っ張り棒、あるいは室内用洗濯竿として、あるいは窓カーテン類の備品として、いろいろ使用用途がある。しかし取付手段として、このパイプポール等は、長さを自在に変える事が出来なかった。現在、本考案者による工夫を凝らした、特開２００１−１１２５６１「伸縮弾性棒」が開発され商品化されている。これは、パイプポールが少し伸縮するので、ある一定の間隔幅の長さに使用されているものである。
【考案が解決しようとする課題】
【０００３】　従来の伸縮棒等は長い間隔幅に対して、取付ける事が難しかった。
　本考案は、このような問題を改善する為になされたものである。
【課題を解決するための手段】
【０００４】　まずパイプスペーサー（５）をプレスして、固定用凸ダボ（２）を設ける。
これは前記スペーサーの表面より、０．２〜０．３ｍ／ｍ程度の突出しで、パイプ周囲の正三角形頂点の間隔で、それぞれ異なる突出し高さで設ける事がベストである。
【０００５】　次に、接続受けパイプ（１）に前記スペーサーを、固定用凸ダボ（２）の部分を一定の長さに出して、適当なる位置まで挿入して軽く固定状態にした上で、プレスにより菱形状金型で、接続受けパイプ（１）の表面より圧縮絞りを行い、菱形カシメ凹ダボ（３）を形成して、前記スペーサーと接続受けパイプ（１）を完全に係着せしめる。
【０００６】　そして前記スペーサー部分に接続差込みパイプ（４）を差込んで、装着する。
　本考案は、以上のような構成よりなるジョイントポールである。
【考案を実施するための最良の形態】
【０００７】　図１、図２で示す通り、本考案は非常にシンプルに形成されている。パイプはアルミ合金製の化粧パイプがより好ましい。図１、図２のごとく接続受けパイプ（１）に、固定用凸ダボ（２）を設けたパイプスペーサー（５）を、適当なる位置まで挿入して、プレスに付けた菱形状金型で圧縮絞りを行い、菱形カシメ凹ダボ（３）を形成して、接続受けパイプ（１）とパイプスペーサー（５）を係着させる。最後に接続差込みパイプ（４）を差込み装着するだけでよい。
　このように、弾性伸縮棒の長さが不足する場合には、より長い前記パイプを差込むだけで解消する。また小刻みに長さ調整も可能である。
【実施例】
【０００８】　本考案は以上のような構成であり、これを使用するのは伸縮棒の長さが足りない時であり、パイプスペーサー（５）に接続差込みパイプ（４）を、ほんの少し回してこじるようにして差込み挿入する。これを複数使用して、繰り返す事により、長さ調整が可能であり、また長いポールを取付ける事が出来る。
【考案の効果】
【０００９】　１．伸縮棒のポール長さや、その他取付幅の距離に左右されずに利用できる。
　２．通常の使用されるパイプは管径にかなりのバラツキがあるので、挿入接続をするとガタが生じるが、固定用凸ダボを設けた事により、接続部のガタが解消した。
　３．また、接続受けパイプとパイプスペーサーを菱形カシメ凹ダボの形状にして、プレス圧縮絞りでカシメた事で、接続差込みパイプを挿入接続する際に、少し回して、ごじりながら行っても、菱形の角により前記スペーサーと前記パイプが滑り回ってしまう事が解消した。
　４．構造が極めてシンプルであるので、ローコストに生産可能であり、多様なデザインも容易に期待できる。
【図面の簡単な説明】
【図１】　本考案の接続斜視図である。
【図２】　本考案の接続断面図である。
【符号の説明】
　　　１　接続受けパイプ
　　　２　固定用凸ダボ
　　　３　菱形カシメ凹ダボ
　　　４　接続差込みパイプ
　　　５　パイプスペーサー
【図１】
0003099689.tif 000003
【図２】
0003099689.tif 000004
(57)【要約】
【課題】優れた装飾的効果を有し、居間等の居住空間に配設するに適した仏壇を提供する。
【解決手段】枠体（１）と該枠体（１）に嵌着した装飾ガラス（３）とよりなることを特徴とする仏壇。該装飾ガラス（３）は、ステンドグラス又は凹凸若しくは模様を備えたガラスである。本考案における仏壇は、円筒状体、四角筒状体、六角筒状体、八角筒状体、三角錐状体、四角錐状体等いかなる形状を備えたものであってもよい。仏壇には適宜照明手段を備えさせてもよい。
【選択図】図１
0003099682.tif 000002
【実用新案登録請求の範囲】
【請求項１】
　枠体と該枠体に嵌着した装飾ガラスとよりなることを特徴とする仏壇。
【考案の詳細な説明】
【技術分野】
【０００１】
　本考案は仏壇に関するものである。
【背景技術】
【０００２】
　仏壇は、一般に、黒檀、紫檀、花梨等の木材により形成されている。
【０００３】
実開昭６２−１３６８８０号公報は、扉が正面に絵画や写真等の装飾物をガラス板にて保持する額縁となっている仏壇を開示している。
【特許文献１】実開昭６２−１３６８８０号公報
【考案の開示】
【考案が解決しようとする課題】
【０００４】
　しかるに、上記従来の仏壇は、礼拝の対象として荘厳な雰囲気を有するものの、他方ではその荘厳な意匠のために居間等の居住空間に配設するには適さないものとなっている。換言すれば、上記従来の仏壇は、暗い雰囲気を醸し出すものであり、装飾的効果を有し得ないものである。
【０００５】
　本考案は、上記従来の仏壇における上述の如き問題を解決し、居間等の居住空間に配設するに適した装飾的効果を備えた仏壇を提供しようとしてなされたものである。
【課題を解決するための手段】
【０００６】
　上記課題を解決するために、本考案は、枠体と該枠体に嵌着した装飾ガラスとよりなることを特徴とする仏壇を提供するものである。
【０００７】
　本出願の実用新案登録請求の範囲及び明細書において「装飾ガラス」とは、ステンドグラス又は凹凸若しくは模様を備えたガラスをいうものとする。
【考案の効果】
【０００８】
本考案の仏壇は枠体と該枠体に嵌着した装飾ガラスとよりなるものであるため、該仏壇は極めて美しい外観を呈する。即ち、本考案の仏壇は優れた装飾的効果を有するものであり、居間等の居住空間に配設するに適している。
【考案を実施するための最良の形態】
【０００９】
　符号１に示すものは枠体である。枠体１は仏壇の骨格をなすものである。枠体１には装飾ガラス３を嵌着する。
【００１０】
　本考案における仏壇は、例えば、円筒状体、四角筒状体、六角筒状体、八角筒状体、三角錐状体、四角錐状体等いかなる形状を備えたものであってもよい。
【００１１】
　図１〜図３に示す事例について説明する。
　この事例における仏壇は、略円筒状本体部５の上にドーム部７を取り付けてなるものである。
【００１２】
　この事例における枠体１は、木製、ガラス製等の底板１１上に複数本の縦部材１３、１３・・・を立設し、該縦部材１３、１３・・・上にドーム部構成部材１５、１７、１７・・・を固定してなるものである。
【００１３】
　この事例は、略円筒状本体部５の前部に左右一対の開閉扉１９、１９を備えている。各開閉扉１９は、二枚の扉構成片１９ａ、１９ｂをヒンジ２１を介して水平方向に折り畳み自在に連結すると共に一方の扉構成片１９ａをヒンジ２３を介して縦部材１３に水平方向に回動自在に取り付けてなるものである。符号２５に示すものは各扉構成片１９ａ、１９ｂの枠部である。
【００１４】
　符号２７に示すものはガラス等により形成した棚板である。また、符号２９に示すものは脚である。
【００１５】
　図示の事例においては、略円筒状本体部５内の下部とドーム部７内の上部にランプ等の照明手段３１が設けられている。
【００１６】
　図４においては、枠体１に装飾ガラス３を嵌着するために、枠体１を構成する金属製の縦部材１３ないしドーム部構成部材１５、１７に装飾ガラス３をハンダ付けしている。
【００１７】
　図５においては、枠体１に装飾ガラス３を嵌着するために、枠体１を構成する木製の縦部材１３ないしドーム部構成部材１５、１７に装飾ガラス３の嵌着溝３３を形成し、該嵌着溝３３に装飾ガラス３を嵌着している。
【００１８】
　装飾ガラス３として用いられるステンドグラスは、一例として、多数の色ガラス片を銅テープを介して組み合わせてなるものである。
【００１９】
　装飾ガラス３として用いられる凹凸を備えたガラスは、一例としてガラスの表面に凹凸パターンを形成してなるものである。
【００２０】
　装飾ガラス３として用いられる模様を備えたガラスは、例えば、単色又は複数色の模様を備えたガラスである。
【図面の簡単な説明】
【００２１】
【図１】本考案による仏壇の一例を示す斜視図である。
【図２】枠体の一例を示す正面図である。
【図３】開閉扉を示す平面図である。
【図４】枠体と装飾ガラスとの関係の一例を示す断面図である。
【図５】枠体と装飾ガラスとの関係の別の一例を示す断面図である。
【符号の説明】
【００２２】
　１　枠体
３　装飾ガラス
５　略円筒状本体部
７　ドーム部
１１　底板
１３　縦部材
１５　ドーム部構成部材
１７　ドーム部構成部材
１９　開閉扉
１９ａ　扉構成片
１９ｂ　扉構成片
２１　ヒンジ
２３　ヒンジ
２５　枠部
２７　棚板
２９　脚
３１　照明手段
３３　嵌着溝
【図１】
0003099682.tif 000003
【図２】
0003099682.tif 000004
【図３】
0003099682.tif 000005
【図４】
0003099682.tif 000006
【図５】
0003099682.tif 000007
(57)【要約】
【課題】構造が簡単で、安価に提供することができ、しかも使い勝手の良い附属品やおまけなどの物品を収納した本を提供することを課題とする。
【解決手段】本１とケース２から成り、ケース１の深さｂを本１の大きさａより大きく構成して、本１とケース２の間に隙間を形成し、その隙間に８面体ダイス３１、３２と６面体ダイス３３を透明なプラスチック製の袋４に入れた収納物品３を収納し、前記収納物品３と本１の間に仕切り用の抑止板５を設ける。
【選択図】図１
0003099638.tif 000002
【実用新案登録請求の範囲】
【請求項１】
本とケースから成り、ケースの深さを本より大きく構成して、本とケースの底の間に隙間を形成し、その隙間に前記本の附属品又はおまけ等の収納物品を収納して販売することを特徴とする本。
【請求項２】
本とケースから成り、ケースの深さを本より大きく構成して、本とケースの底の間に隙間を形成し、その隙間に前記本の附属品又はおまけ等の収納物品を収納し、且つ前記収納物品と本の間に仕切り用の抑止板を設けて販売することを特徴とする本。
【考案の詳細な説明】
【技術分野】
【０００１】
　本考案は、附属品やおまけなどを収納して販売する本に関するものである。
【背景技術】
【０００２】
　最近、おまけ付菓子販売の成功から、おまけ付商品の第２次ブームとなっており、本の販売分野でも図２に示すような付録付雑誌が販売されている。
【０００３】
　図２に示す付録付雑誌は、表紙イと裏表紙ロ間に、付録を収納した箱ハと、雑誌ニを挟み、それら箱ハと雑誌ニを背表紙ホに接着したものであるが、蓋ヘを付した紙製の箱ハに付録をいれる形式であるため、付録が中で踊らぬように、クッション材を充填又は付録保持用の中子を必要とし、箱ハの製作にコストを要するという問題があった。
【非特許文献１】株式会社学習研究社　２００３年５月１０日発行　「大人の科学マガジン　Vol.01」　折り込み頁（科学のふろく完全年表）及び９９頁
【考案の開示】
【考案が解決しようとする課題】
【０００４】
　そこで本考案は、構造が簡単で、安価に提供することができ、しかも使い勝手の良い付属品やおまけなどの物品を収納した本を提供することを課題とするものである。
【課題を解決するための手段】
【０００５】
　本考案は、上記の課題を解決するためになされたもので、第１の考案は本とケースから成り、ケースの深さを本より大きく構成して本とケースの底の間に隙間を形成し、その隙間に前記本の附属品又はおまけなどの収納物品を収納して販売することを特徴とする本である。
【０００６】
　第２の考案は、本とケースから成り、ケースの深さを本より大きく構成して本とケースの底の間に隙間を形成し、その隙間に前記本の附属品又はおまけなどの収納物品を収納し、且つ前記収納物品と本の間に仕切兼用の抑止板を設けて販売することを特徴とする本である。
【考案の効果】
【０００７】
　本考案によれば、附属品やおまけなどの収納物品を入れるものを本の収納ケースと共用としたので、嵩張らず安価に提供することができると共に、収納物品の取り出し、保管を手軽に行うことができるので使い勝手に優れている。また、第２の考案によれば、抑止板が収納物品のがたつきを防止することが可能であると共に、収納物品の万引き防止に役立つ効果がある。
【実施例１】
【０００８】
　図１は、本考案を易占に関する本を販売する場合に適用した場合の実施例を示すもので、１は６４卦索引表や各卦の詳細な説明を記載した本、２は深さｂを本１の大きさａより大きくしたケース、３は８面体ダイス（サイコロ）３１、３２と６面体ダイス（サイコロ）３３から成る附属品で、透明なプラスチック製の袋４に密封されている。
【０００９】
　なお、８面体ダイス３１、３２は６４卦の算木を選択する時に使用され、６面体ダイス３３は将来の卦を見る場合に用いられる。
【００１０】
　５は仕切兼用の抑止板で、図示のように断面弧状若しくはコ状のものが用いられ、断面弧状とした場合、その巾をケース２の巾より若干大きくして挿入することにより、附属品３をケース２の底に抑止してガタ付きを防止することができる。
【００１１】
　実施例のように、断面弧状の抑止板５を用いた場合、抑止板５を外す時は、一端を押して斜にしてケース２の開口側に移動した反対側端部に指を掛けて引き揚げればよい。
【００１２】
　上記実施例の場合、ケース２は蓋なしとしたが、蓋付とすることもできる。また、実施例ではケース２を不透明の紙製としたが、合成樹脂などの透明又は半透明の材質とすることもできる。その場合、収納物品の識別が出来るばかりでなく、本１の表紙に印刷された書名等も読取れるので、ケース２に書名等を印刷する手間が省ける。なお、収納物品の万引きを防止したい場合は、例えば、コ状に折った目隠し片をケース２の底の物品収納部に入れればよい。
【実施例２】
【００１３】
　以上説明した実施例は、易占の本に適用した場合の実施例であるが、日記帳や俳句帳の場合等に適用する場合は、収納物品としてボールペンや筆ペン等の筆記用具を隙間に収納して販売し、使用する。この場合、販売にも使い勝手にも優れている。
【図面の簡単な説明】
【００１４】
【図１】本発明の一実施例の分解斜視図である。
【図２】従来品の説明図である。
【符号の説明】
【００１５】
　１　　本
　２　　ケース
　３　　附属品
　４　　プラスチック製の袋
　５　　抑止板
【図１】
0003099638.tif 000003
【図２】
0003099638.tif 000004
(57)【要約】
【課題】最近、人間の生活環境の変化に伴い、ペットの食住環境が悪化し、これに起因した健康障害が問題となっている。これを防止するための健康補助食品を提供する。
【解決手段】健康補助食品は竹炭微粉末、竹酢、にがり、水及び乾燥孟宗竹粉末から構成される。これら構成成分を竹炭微粉末、竹酢、にがり及び水の液状混合体と乾燥孟宗竹粉末とに分けて包装し、使用直前にこれらを混ぜて、かつペットの体格に応じた量を飼料に添加して与える。
【選択図】図１
0003099628.tif 000002
【実用新案登録請求の範囲】
【請求項１】
　竹炭微粉末１重量部、竹酢０〜３重量部、にがり０〜３重量部、水１００〜２５０重量部及び乾燥孟宗竹粉末５０〜１５０重量部からなるペット用健康補助食品。
【請求項２】
　竹炭微粉末、竹酢、にがり及び水の液状混合体と乾燥孟宗竹粉末とを分包することを特徴とした請求項１に記載のペット用健康補助食品。
【考案の詳細な説明】
【技術分野】
【０００１】
　本考案は、犬、猫等のペットの健康管理を目的とした補助食品に関するものである。
【背景技術】
【０００２】
　最近の犬、猫等のペットは生活環境の悪化に伴ない人間と同様の成人病になるという現象が多く起きている。従来これら動物は、野外を自由に行動することが可能であり、従ってストレスを感じることもなく健康であった。しかしながらペットを飼う人間の生活環境の変化に伴ないペットの食住の環境も大きく変化している。このような環境はペットには好ましいものではなくストレスとなり、お腹をこわしたり肥満になったりしている。
【０００３】
　ペットのための栄養管理食品は沢山あるが、健康管理補助食品は少ない。ペットや家畜の飼料として０．５〜５μに加工した竹炭粉末を混入させた食品が提案されてはいる（例えば特許文献１参照）が、必要に以上にペットに与えることになることや植物繊維が含有されていない等の欠点があり十分満足し得るものではない。
【特許文献１】実用新案登録第３０９２８５４号公報
【考案の開示】
【考案が解決しようとする課題】
【０００４】
　最近の犬、猫等のペットは生活環境の悪化に伴ない人間と同様の成人病になるという現象が多く起きている。ペットの生活環境に起因したストレスによる健康障害を予防することは動物愛護の観点からも必要である。
【課題を解決するための手段】
【０００５】
　本考案ではかかる課題を解決するための具体的手段として、竹炭微粉末、竹酢、にがり、水及び乾燥孟宗竹粉末から構成される健康補助食品を提供するものである。
【考案の効果】
【０００６】
　本考案の健康補助食品をペットの体格に応じた量を通常与えている飼料に添加して与えるとペットの健康増進に効果がある。また竹炭の吸着作用により便臭を抑える等の副次的効果も有している。
【考案を実施するための最良の形態】
【０００７】
　本考案に係る健康補助食品は竹炭微粉末１重量部、竹酢０〜３重量部、にがり０〜３重量部、水１００〜２５０重量部及び孟宗竹粉末５０〜１５０重量部で構成され、図１に示す形態で包装する。包装の際、竹炭微粉末、竹酢、にがり及び水の液状混合体と乾燥孟宗竹粉末とを個別に包装することを特徴としている。
【０００８】
竹炭微粉末は胃腸内の有害物質を吸着して体外に排泄する。すなわち竹炭微粉末は解毒作用を有している。竹酢は殺菌抗菌作用を有しており、有害雑菌の繁殖を抑制する。にがりは豊富なミネラルを含んでおり、特に主成分である塩化マグネシウムはカルシウムの吸収を助け代謝機能を向上させるのでダイエット効果があり、運動不足がちのペットの肥満防止対策となる。孟宗竹粉末は良質な植物繊維であり整腸作用とコレステロールの吸収抑制作用に効果がある。竹酢とにがりは併用してもいずれか単独で用いてもよい。
【０００９】
　包装用の袋はダブルパウチ式の包装袋を使用するのが効果的である。すなわち、液状混合体側の袋を二重又は三重に折り、指で強く押すと中央の仕切りが破壊され分包していたものが一つの袋となる。この状態で孟宗竹粉末と竹炭微粉末、竹酢、にがり及び水の液状混合体とをよく混合しペットの飼料に添加して与える。
【００１０】
　本考案の健康補助食品は、例えば竹炭微粉末０．５ｇ、にがり１ｇ、水１０ｇ及び孟宗竹粉末５ｇを１包装単位とした場合、通常小型犬、猫で１週間に１袋、中型犬で３週間に２袋、大型犬で１週間２袋程度与えるとよい。
【実施例１】
【００１１】
　図１に示す本考案の実施形態を示すペット健康補助食品を室内犬であるマルチーズの飼料に前記の１袋を１週間に１度添加して与えたが、マルチーズは何の違和感も訴えず、従来と同じ様に飼料を食べた。
【産業上の利用可能性】
【００１２】
　本考案に係る健康補助食品はペットの健康管理補助食品として利用する以外にも、家畜やその他の飼育動物に対し、体格に応じた適量を与えることで解毒、整腸等の効果を期待することができる。
【図面の簡単な説明】
【００１３】
【図１】本考案の健康補助食品の包装状態を示す図である。
【符号の説明】
【００１４】
　１　　乾燥孟宗竹粉末
　２　　竹炭微粉末、竹酢、にがり及び水の液状混合体
　３　　易剥離性仮接着部
　４　　外周縁
　５　　開封用切込み
【図１】
0003099628.tif 000003
【手続補正書】
【提出日】平成15年9月16日(2003.9.16)
【手続補正１】
【補正対象書類名】実用新案登録請求の範囲
【補正対象項目名】全文
【補正方法】変更
【補正の内容】
【実用新案登録請求の範囲】
【請求項１】
　竹炭微粉末、竹酢、にがり及び水の液状混合体と乾燥孟宗竹粉末とをダブルパウチ式の包装袋に分封包したペット用健康補助食品。
(57)【要約】　　
【課題】　使用される印が本当に本人の印なのか、また、印刻された名前が本当に本人の名前なのかを確実に確認でき、取引きの安全性が確保できる全く新規な液浸透式印を提供するものである。
【解決手段】　同一の印面１内に本人の顔写真３と本人の名前４が印刻されているものである。
【選択図】　　図１
0003099630.tif 000002
【実用新案登録請求の範囲】
【請求項１】
　同一の印面内に本人の顔写真と本人の名前が印刻されている顔写真入り液浸透式印。
【請求項２】
　同一の印面内であって本人の顔写真とは別の位置に本人の名前が印刻されている上記請求項１に記載の顔写真入り液浸透式印。
【考案の詳細な説明】
【技術分野】
【０００１】
　本考案は、液浸透式印に係り、特に人の顔写真とその人の名前入りの顔写真入り液浸透印に関する。
【背景技術】
【０００２】
　いわゆる簡易なスタンプ式の認印として、名前が印刻された液浸透式印は既に普及し、多くの人が使用している。
　一方近年、この種液浸透式印の印材として人の顔写真でも鮮明に押印できる材料が開発、実用化され、人の顔写真の液浸透式印も既に実用化され、使用されている。
　しかし、名前が印刻された印の場合、その印を押した人がはたしてその名前の人本人であるかは確認しようがない。
　また、顔写真だけの印では、印の所持者が本人であることは確認できるが、その本人の名前は確認できない。
　一方、近年では、この種液浸透式印の印面及びインクの耐用年数が格段に改良され、経年使用に充分耐えられるようになってきた。従って、この種液浸透式印も従前の硬質材料による認印と遜色なく使用され、社会に認められるようになっている。
【０００３】
　一方、銀行その他の金融機関においても、この液浸透式印の使用を認めるところもでてきている。これら金融機関で最も望まれることは、使用印がはたして本人の印なのか、また、名前が本当に本人の名前なのかを確認できることが、確実な本人確認及び取引きの安全面できわめて望ましいという課題がある。
【考案の開示】
【考案が解決しようとする課題】
【０００４】
　本考案は、この課題に鑑み、使用される印が本当に本人の印なのか、また、印刻された名前が本当に本人の名前なのかを確実に確認でき、取引きの安全性が確保できる全く新規な液浸透式印を提供するものである。
【課題を解決するための手段】
【０００５】
　そのために、本考案顔写真入り液浸透印は、同一の印面内に本人の顔写真と本人の名前が印刻されているものである。
　さらに、本考案顔写真入り液浸透式印は、同一の印面内であって本人の顔写真とは別の位置に本人の名前が印刻されているものである。
【考案の効果】
【０００６】
　本考案の顔写真入り液浸透式印は、同一の印面内に本人の顔写真と本人の名前が印刻されているものであるから、押印した人が本人であることと、その人の名前とを確認することができる効果を有し、金融機関における取引きの安全性が確保できるという大きな効果がある。
【０００７】
　さらに、本考案顔写真入り液浸透式印は、同一の印面内であって本人の顔写真とは別の位置に本人の名前が印刻されているものであるから、顔写真と名前とを鮮明に確認することができ、高い安全性が確保できるという効果がある。
【考案を実施するための最良の形態】
【０００８】
　図面に示した好ましい実施例により本考案の詳細を説明する。
　図中１が液浸透式印の印面である。この印面は、１つの印面であり、印の縁２の内側を占める。この印面１中に印の所有者本人の顔写真３が印刻されている。この顔写真３は通常印面１の中心に位置付けられるが、何れかに片寄っていてもかまわない。この印面１中に所有者本人の名前４を印刻してある。図１の実施例では、顔写真３の下側に名前４を位置付けてあるが、図２の実施例では、顔写真３の左右位置に名前４を位置付けてあり、右側に姓、左側に名を表してある。
【図面の簡単な説明】
【０００９】
【図１】本考案顔写真入り液浸透式印の一実施例の正面図。
【図２】同じく別の実施例の正面図。
【符号の説明】
【００１０】
　　１　印面
　　２　縁
　　３　顔写真
　　４　名前
【図１】
0003099630.tif 000003
【図２】
0003099630.tif 000004
(57)【要約】
【課題】　電気の電源を切ったこと、ガスの元栓を止めたこと、建物の出入り口や窓の戸締りを行ったことなどを簡単に表示する器具を提供する。
【解決手段】　片手に持てる位の大きさの基体Ａに複数個の窓部１を設け、窓部１に対応する裏板Ｂ上に作業する場所や項目が表示してある。この表示部分を基体Ａと裏板Ｂによって構成される摺動部２を移動する摺動体Ｃによって開閉する。
【選択図】　図１
0003099944.tif 000002
【実用新案登録請求の範囲】
【請求項１】
　略長方形の板状で複数の窓部（１）を設けた基体（Ａ）と裏板（Ｂ）で摺動部（２）を構成し、摺動部（２）を移動する複数個の摺動体（Ｃ）からなり、裏板上に表示される項目を、表したり、見えなくしたりする表示器。
【考案の詳細な説明】
【考案の詳細な説明】
【技術分野】
【０００１】　本考案は片手に持てる位の大きさで、複数の必要事項を表示した窓部を有し、該窓部を摺動体によって開閉するようにした板状の表示器に関するものである。
【従来の考え方】
【０００２】　家を留守にして外出する時や就寝する時、工場や事務所などで一日の仕事を終って帰宅する時などには、エアコン，ヒーターなどの電源を切ること、ガスの元詮を閉めること、窓や出入り口の戸締りなど多くの確認事項がある。従来はこれら全てを記憶に頼っていた。
【考案が解決しようとする課題】
【０００３】　従来のように確認事項を記憶に頼るのでは不確実であった。本考案では確認事項をあらかじめ決めておき、操作が終了したことをその場所でその時に表示しておくものである。
【課題を解決する為の手段】
【０００４】　電源を切るなどの操作をしたり、確認したりする事項は基体の窓部から見えるように裏板に表示してある。表示器の摺動体を動かすことによって、表示した項目が摺動体の下になって見えなくなり操作や確認が終了したことを示す。
【考案を実施するための最良の形態】
【０００５】考案の実施の形態について図面を参照して説明する。
　図１〜図３において基体Ａはプラスチックの射出成型や板紙の打抜加工などにより、長辺１０〜１５ｃｍ、短辺５ｃｍ程度、厚さ５ｍｍ程度の板状に作られている。基体Ａには複数箇所の略長方形の窓部１と裏板Ｂとによって形成される摺動部２があり、この摺動部２にそって摺動体Ｃが移動する。裏板Ｂ、摺動体Ｃはどちらもプラスチックの射出成型や板紙の打抜加工などによって作られる。摺動体Ｃは長辺が基体Ａの窓部１の長辺の約半分の長さになっているので、摺動体Ｃを左側に移動させると、窓部１の右側で裏板Ｂに表示されている文字や記号が見え、右側に移動させると文字や記号の下に隠れて見えなくなるように構成されている。尚、摺動体Ｃには突起部３を設け、摺動体を移動しやすくしてある。
【実施例】
【０００６】　本考案は、上述のように構成されているので、次に記載するような実施例が考えられる。【０００７】　一般的には表示器を使用する場所に応じて、電気，ガス，戸締りなど重要な場所を選んで窓部の裏板部分に表示しておき、必要な操作や確認を行った時、表示窓を閉じる。【０００８】　電気関係に限って使用する場合では、窓部の表示を例えばエアコン，ヒーター，換気扇，ポット，照明などとしておく。【０００９】　戸締りに限って使用する場合では、窓部の表示を例えば正面入口，裏口，２階窓，トイレ窓，物置，などとしておく。
【考案の効果】
【００１０】　本考案は上述のように構成されているので次のような効果を秦する。
【００１１】　本表示器は片手に持てる位の大きさで軽量な為携帯に便利であり、扱い方も簡単であるため、誰でも使用でき使用する対象も非常に多い。
【００１２】　表示器に表示されている項目を実行した時はその場で表示器の窓を閉じておくので確実である。
【図面の簡単な説明】
【図１】　本考案表示器の全体を示す斜視図である。
【図２】　表示器の平面図である。
【図３】　表示器の断面図である。
【符号の説明】
　Ａ　基体
　Ｂ　裏板
　Ｃ　摺動体
　１　窓部
　２　摺動部
　３　突起部
【図１】
0003099944.tif 000003
【図２】
0003099944.tif 000004
【図３】
0003099944.tif 000005
(57)【要約】【課題】手軽に飲むことができ、かつ、倒してこぼすのを防ぐことができる味噌汁入り容器を提供する。【解決手段】容器本体１が味噌汁４を入れて密封可能となっている。容器本体１は片手で保持可能な大きさである。容器本体１は口で塞ぐことが可能な大きさの飲み口１１を有している。容器本体１は飲み口１１にかけて狭まるよう傾斜した傾斜部分１３を有する。蓋２が飲み口１１を開閉可能である。カップ３が容器本体１の底部１４に嵌合可能な開口３１を有している。カップ３は、円筒状の側壁３２と底面３３とを有し、側壁３２に内壁凸部３４と内壁凹部３５とを有する。開口３１を容器本体１の底部１４に被せて嵌合させたとき、内壁凸部３４は容器本体１の側面１５に接し、内壁凹部３５は側面１５から離れており、底面３３は底部１４から離れている。味噌汁４は、飲み口１１を通過可能な大きさの具４１を含み、容器本体１に収容されている。【選択図】　　　図１
0003099948.tif 000002
【実用新案登録請求の範囲】
【請求項１】
口で塞ぐことが可能な大きさの突出した飲み口を有し片手で保持可能な大きさの密閉用の容器本体と、
前記飲み口を開閉可能な蓋と、
前記飲み口を通過可能な大きさの具を含み前記容器本体に収容された味噌汁とを、
有することを特徴とする味噌汁入り容器。
【請求項２】
さらにカップを有し、前記カップは前記容器本体の底部に嵌合可能な開口を有し、前記開口を前記底部に嵌合させたとき前記容器本体の側面に接する内壁凸部と前記側面から離れた内壁凹部と前記底部から離れた底面とを有することを特徴とする請求項１記載の味噌汁入り容器。
【考案の詳細な説明】
【０００１】
【考案の属する技術分野】
本考案は、味噌汁を手軽に飲むための味噌汁入り容器に関する。
【０００２】
【従来の技術】
一般に、飲み物を手軽に飲める缶入り飲料やペットボトル入り飲料が市販されている。従来の味噌汁入り容器としては、保温性のカップ状容器の中から味噌を封入した袋と具を封入した袋とを取り出し、袋の中の味噌と具とを容器の中に入れ、熱湯を注いで飲むようにしたものがある。
【０００３】
【考案が解決しようとする課題】
しかしながら、従来の味噌汁入り容器は、飲むまでに、味噌と具とを袋から出して容器に入れ、熱湯を注ぐ手間を要するうえ、容器を倒して中身をこぼすおそれがあるという課題があった。
【０００４】
本考案は、このような従来の課題に着目してなされたもので、手軽に飲むことができ、かつ、倒してこぼすのを防ぐことができる味噌汁入り容器を提供することを目的とする。
【０００５】
【課題を解決するための手段】
前記課題を解決するため、本考案に係る味噌汁入り容器は、口で塞ぐことが可能な大きさの飲み口を有し片手で保持可能な大きさの密閉用の容器本体と、前記飲み口を開閉可能な蓋と、前記飲み口を通過可能な大きさの具を含み前記容器本体に収容された味噌汁とを、有することを特徴とする。
【０００６】
本考案に係る味噌汁入り容器は、容器本体を片手で持ち、飲み口の蓋を外し、飲み口に口を付けて容器本体の内部の味噌汁を飲むことができる。これにより、味噌汁を手軽に飲むことができ、飲み口に蓋をすれば、倒してこぼすのを防ぐことができる。
【０００７】
本考案に係る味噌汁入り容器は、さらにカップを有し、前記カップは前記容器本体の底部に嵌合可能な開口を有し、前記開口を前記底部に嵌合させたとき前記容器本体の側面に接する内壁凸部と前記側面から離れた内壁凹部と前記底部から離れた底面とを有することが好ましい。
【０００８】
この構成では、味噌汁を飲み口からカップに注いで飲むことができる。また、カップの開口を容器本体の底部に嵌合させたとき、カップと容器本体との間隙により、保温力を高めることができる。さらに、内壁凹部の個所を容器本体の外側から持ったとき、内壁凹部と容器本体との間隙により、味噌汁の熱が容器本体からカップ側に伝わりにくい。このため、中の味噌汁の熱で容器本体が熱くなって持ちにくいとき、カップの開口を容器本体の底部に嵌合させることにより、容器本体をカップの上から持ちやすくすることができる。
【０００９】
【考案の実施の形態】
以下、本考案の実施の形態について、図面を参照して説明する。
図１は本実施の形態の味噌汁入り容器を示す縦断面図である。
【００１０】
味噌汁入り容器は、容器本体１と、蓋２と、カップ３と、味噌汁４とから成っている。容器本体１は、ポリプロピレンから成って、ほぼ円筒状をなし、味噌汁４を入れて密封可能となっている。容器本体１は、一例で直径６ｃｍ、高さ１０ｃｍ程度の、片手で保持可能な大きさである。容器本体１は、一例で直径３ｃｍ程度の、口で塞ぐことが可能な大きさの円筒状に突出した飲み口１１を有している。飲み口１１の外周には、雄ネジ部１２が形成されている。また、容器本体１は、飲み口１１に連続した傾斜部分１３を有している。
【００１１】
蓋２は、飲み口１１の雄ネジ部１２に螺合する雌ネジ部２１が内周に形成され、飲み口１１を開閉可能となっている。
【００１２】
カップ３は、ポリエチレンテレフタレートから成って、容器本体１の底部１４に嵌合可能な開口３１を有している。カップ３は、円筒状の側壁３２と底面３３とを有し、側壁３２に沿って環状の内壁凸部３４と内壁凹部３５とを有している。開口３１を容器本体１の底部１４に被せて嵌合させたとき、内壁凸部３４は容器本体１の側面１５に接し、内壁凹部３５は側面１５から離れており、底面３３は底部１４から離れている。
味噌汁４は、飲み口１１を通過可能な大きさの具４１を含み、容器本体１に収容されている。具４１は、例えば、豆腐、ワカメ、ネギなどである。
【００１３】
次に、作用について説明する。
味噌汁入り容器は、容器本体１を片手で持ち、飲み口１１の蓋２を外し、飲み口１１に口を付けて容器本体１の内部の味噌汁４を飲むことができる。味噌汁４の具４１は、飲み口１１に口を付け、飲み口１１を下に向けて容器本体１を傾けたとき、傾斜部分１３に沿って飲み口１１に達し、飲み口１１を通過させて口に入れることができる。このように、味噌汁４を手軽に飲むことができ、飲み口１１に蓋２をすれば、倒してこぼすのを防ぐことができる。
【００１４】
味噌汁入り容器は、カップ３の開口３１を容器本体１の底部１４に嵌合させたとき、カップ３と容器本体１との間隙により、保温力を高めることができる。さらに、内壁凹部３５の個所を容器本体１の外側から持ったとき、内壁凹部３５と容器本体１との間隙により、味噌汁４の熱が容器本体１からカップ３側に伝わりにくい。このため、中の味噌汁４の熱で容器本体１が熱くなって持ちにくいとき、カップ３の開口３１を容器本体１の底部１４に嵌合させることにより、容器本体１をカップ３の上から持ちやすくすることができる。
味噌汁入り容器は、味噌汁４を飲み口１１からカップ３に注いで飲むこともできる。
【００１５】
【考案の効果】
本考案によれば、手軽に飲むことができ、かつ、倒してこぼすのを防ぐことができる味噌汁入り容器を提供することができる。
【図面の簡単な説明】
【図１】本考案の実施の形態の味噌汁入り容器を示す縦断面図である。
【符号の説明】
１　　容器本体
２　　蓋
３　　カップ
４　　味噌汁
１１　飲み口
３１　開口
３２　側壁
３３　底面
３４　内壁凸部
３５　内壁凹部
【図１】
0003099948.tif 000003
(57)【要約】【目的】素材の取換え組み合わせが簡単にでき、調整もでき、眠るのが楽しくなる枕を提供する【構成】枕となる袋（１）を数珠繋ぎにした、鞘（３）のなかに鞘の数だけ差し込んで使う【選択図】　図３
0003099942.tif 000002
【実用新案登録請求の範囲】
【請求項１】
　片方にチャック（２）を設けた袋（１）に枕の素材と　なるものを詰め、それらが、バラバラにならないよう数珠繋ぎにした鞘（３）の開口部（４）より鞘の数だけ袋（１）を、差し込んで一個の枕とした
【考案の詳細な説明】
【考案の詳細な説明】
【産業上の利用分野】
【０００１】枕に詰める素材を数本の袋に小分けにして繋げたので数種類の素材を一個の枕で楽しむ事ができる
【背景技術】
【０００２】従来より一個の枕に一種類の素材のもの、半そば枕もある。
【考案が解決しようとする課題】
【０００３】これは次のような欠点があった（イ）素材の入った枕は、完全に縫い付けてあり高さや硬さの調節ができず（ロ）中の素材が、汚れてきたり、古くなって変質してきても、裁縫の苦手な人あるいは、時間にゆとりのない人はその都度、枕ごと捨てなければならないない
【課題を解決するための手段】
【０００４】一方に設けたチャック（２）より枕の素材の詰まった袋（１）を数本作る、この袋がバラバラにならないよう数珠繋ぎなった、鞘（３）を作りその開口部（４）より鞘（３）の数だけ、素材の詰まった袋を差し込んで、一つの枕とした
【佐用】
【０００５】数珠繋ぎなった鞘（３）の中に、素材の詰まった袋（１）を鞘の数だけ、開口部（４）より差し込んで、使用する。このままでは使用中に、袋が鞘からせりだしてくるので、更にカバー（６）に収めて使う
【実施例】
【０００６】以下考案の実施例について説明する。（イ）袋（１）に設けたチャック（２）部分より、購入者の好みの素材を詰めるか、あるいは、すでに詰まっているのを買って来る（ロ）数珠繋ぎになった鞘（３）の開口部（４）より鞘の数だけ差し込んで使う。
【考案の効果】
【０００７】素材の取換え調整が、簡単にできるので、木の実、薬草等、腐ったり直ぐ変質してしまう材料でも枕の素材にして楽しむことができる。素材を一つの袋に詰めるのではなく、数本の袋に小分けにして、繋げたので頭部（５）の形に関係なく馴染んでしまう、枕の高い低いもチャックより素材の増減をすることで容易に可能である。
【図面の簡単な説明】
【図１】本考案の素材の入った袋の斜視図
【図２】本考案の鞘を数珠繋ぎにした斜視図
【図３】本考案の袋を鞘の中に収めた状態の正面図
【図４】本考案の実施例を示す側面図
【図５】本考案の枕を収めるカバーの斜視図
【符号の説明】
　１　素材の詰まった袋　２　素材を出し入れするためのチャック　３　数珠繋ぎにした鞘　４　袋を出し入れするための開口部　５　人間の頭部　６　枕を入れるカバー　７　カバーのチャック
【図１】
0003099942.tif 000003
【図２】
0003099942.tif 000004
【図３】
0003099942.tif 000005
【図４】
0003099942.tif 000006
【図５】
0003099942.tif 000007